(57)【要約】      （修正有）【課題】ゴルフボールとゴルフクラブとの接触現象を観察できるゴルフボールの接触状態観察装置を提供する。【解決手段】ゴルフボール１０を発射する発射手段と、発射されたゴルフボール１０が衝突する衝突板２０と、衝突板２０を挟んで発射手段と反対側に設けられ、ゴルフボール１０の衝突時におけるゴルフボール１０と衝突板２０との接触状態を撮影する撮像手段３０とを備え、衝突板２０は、ゴルフボール１０が衝突する部分に、衝突したゴルフボール１０との接触領域よりも小さな面積の観察孔２１を有し、撮像手段３０は、観察孔２１を介して衝突板２０とゴルフボール１０の接触状態を撮影する。【選択図】図１
2015205116.tif 000002
【特許請求の範囲】
【請求項１】
ゴルフボールを発射する発射手段と、発射された前記ゴルフボールが衝突する衝突板と、該衝突板を挟んで前記発射手段と反対側に設けられ、前記ゴルフボールの衝突時における前記ゴルフボールと前記衝突板との接触状態を撮影する撮像手段とを備え、
前記衝突板は、前記ゴルフボールが衝突する部分に、前記発射手段側の表面における面積が衝突したゴルフボールとの接触領域よりも小さな観察孔を有し、前記撮像手段は、前記観察孔を介して前記ゴルフボールの接触状態を撮影することを特徴とする、ゴルフボールの接触状態観察装置。
【請求項２】
前記観察孔の面積は、前記衝突したゴルフボールとの接触領域に対して1〜40％であることを特徴とする、請求項１に記載のゴルフボールの接触状態観察装置。
【請求項３】
前記観察孔は、1〜10mmの横幅を有することを特徴とする、請求項２に記載のゴルフボールの接触状態観察装置。
【請求項４】
前記観察孔は、前記衝突板における前記撮像手段側から前記発射手段側に向かってテーパー状となることを特徴とする、請求項１〜３のいずれか１項に記載のゴルフボールの接触状態観察装置。
【請求項５】
前記観察孔に、透明な材料が充填されたことを特徴とする、請求項１〜４のいずれか１項に記載のゴルフボールの接触状態観察装置。
【請求項６】
前記衝突板は、前記発射手段側の表面が、ゴルフクラブの表面形状に合わせて加工されたことを特徴とする、請求項１〜５のいずれか１項に記載のゴルフボールの接触状態観察装置。
【請求項７】
前記衝突板と前記ゴルフボールとの衝突時の力を測定するための荷重計をさらに備えることを特徴とする、請求項１〜６のいずれか１項に記載のゴルフボールの接触状態観察装置。
【請求項８】
ゴルフボールを発射した後、衝突板に衝突させ、衝突時における前記ゴルフボールの前記衝突板との接触状態を観察する方法であって、
前記衝突板の前記ゴルフボールが衝突する部分に、面積が衝突したゴルフボールとの接触領域よりも小さな観察孔を形成し、前記観察孔を介して前記ゴルフボールの前記衝突板との接触状態を観察することを特徴とする、ゴルフボールの接触状態観察方法。
【発明の詳細な説明】
【技術分野】
【０００１】
本発明は、ゴルフボールの接触状態観察装置及びゴルフボールの接触状態観察方法に関する。
【背景技術】
【０００２】
ゴルファーの、遠くに、正確に飛ばしたいという要求は絶えない。この要求に応えるべく、より高性能なゴルフボールやゴルフクラブを開発する上で、ゴルフボールとゴルフクラブとの接触現象を解析することは非常に重要である。
【０００３】
しかし、次の点から、ゴルフボールとゴルフクラブとの接触面でどのような現象が生じているのかを解析することは困難であった。
（１）ゴルフボールとゴルフクラブとの接触現象が短時間（約0.5msec）であること
（２）ゴルフクラブとの接触面の影響を強く受けるため、かかる接触面における状態を把握することが望まれるが、接触面が隠れているため観察が行えないこと
【０００４】
ここで、上記（１）の点については、高速カメラ等を用いることで解決することが可能である。
しかしながら、上記（２）の点については、依然として解決されておらず、解決できる技術の開発が望まれていた。ボールに働く力としてクラブからの接触力がある。接触力は法線方向成分と摩擦力成分に分けることができ、特に後者の摩擦力は微細な接触面の滑り等で大きく変化する。従来からの検討で、クラブ表面（材質、溝、表面粗さなど）を変えると、ボールのスピンが変わり、ドライバーであれば飛距離に、アイアンであれば、着地時の静止力（正確性）に大きく影響することもある。
【０００５】
ここで、ゴルフボールのスピン量を予測するための技術として、例えば特許文献１には、ゴルフボールの飛行方向に対して、所定の角度で傾斜して設置された衝突板にゴルフボールが衝突する際のゴルフボールと衝突板の動摩擦係数を測定し、衝突板に垂直な方向の接触力の時間関数及び衝突板に平行な方向の接触力の時間関数を同時に求め、特定の関係式に基づいて動摩擦係数を算出する方法が開示されている。
【先行技術文献】
【特許文献】
【０００６】
【特許文献１】特開２００６−３４３１３９号公報
【発明の概要】
【発明が解決しようとする課題】
【０００７】
しかしながら、特許文献１の技術では、ゴルフボールのスピン量を予測できるものの、依然として、ゴルフボールとゴルフクラブとの接触現象については観察することができなかった。上述したように、ゴルフボールとゴルフクラブとの接触現象を把握することは、さらに正確にゴルフボールの挙動を把握する上で非常に重要なファクターである。
【０００８】
以上の課題に鑑み、本発明は、従来は隠れて観察できなかったゴルフボールとゴルフクラブとの接触状態を再現し、観察できる、ゴルフボールの接触状態観察装置及びゴルフボールの接触状態観察方法を提供することを目的とする。
【課題を解決するための手段】
【０００９】
本発明者らは、上記課題を解決するため鋭意検討をした結果、ゴルフボールを発射する発射手段と、発射された前記ゴルフボールが衝突する衝突板と、該衝突板を挟んで前記発射手段と反対側に設けられ、前記ゴルフボールの衝突時における前記ゴルフボールと前記衝突板との接触状態を撮影する撮像手段を用い、前記衝突板の前記ゴルフボールが衝突する部分に特定の観察孔を設け、該観察孔を介して前記ゴルフボールの接触状態を撮影することによって、従来は隠れて観察できなかったゴルフボールとの接触現象を確実に観察できることを見出し、本発明を完成させるに至った。
【００１０】
本発明の要旨は以下の通りである。
本発明のゴルフボールの接触状態観察装置は、ゴルフボールを発射する発射手段と、発射された前記ゴルフボールが衝突する衝突板と、該衝突板を挟んで前記発射手段と反対側に設けられ、前記ゴルフボールの衝突時における前記ゴルフボールと前記衝突板との接触状態を撮影する撮像手段とを備え、前記衝突板は、前記ゴルフボールが衝突する部分に、前記発射手段側の表面における面積が衝突したゴルフボールとの接触領域よりも小さな観察孔を有し、前記撮像手段は、前記観察孔を介して前記ゴルフボールの接触状態を撮影することを特徴とする。
これによって、ゴルフボールとゴルフクラブとの接触現象を再現し、観察できる。
【００１１】
また、前記観察孔の面積は、前記衝突板と前記ゴルフボールとの接触領域に対して1〜40％であることが好ましく、該観察孔は、1〜10mmの横幅を有することがより好ましい。ゴルフボールとゴルフクラブとの接触現象をより正確に再現できるからである。
【００１２】
さらに、前記観察孔は、前記衝突板における前記撮像手段側から前記発射手段側に向かってテーパー状となることが好ましい。観察時の光源を取り入れやすくなるからである。
【００１３】
さらにまた、前記観察孔に、透明な材料が充填されることが好ましい。接触時のゴルフボールの変形状態をより正確に再現できるからである。
【００１４】
また、前記衝突板は、前記発射手段側の表面が対象のゴルフクラブに合わせて加工されたことが好ましい。実際のゴルフクラブとゴルフボールとの接触現象を再現できるからである。
【００１５】
さらに、前記衝突板と前記ゴルフボールとの衝突時の力を測定するための荷重計をさらに備えることが好ましい。接触時のゴルフボールにかかる力を正確に把握できるからである。その点において、荷重計として２分力計若しくは３分力計等を用いることがより好ましい。
【００１６】
本発明のゴルフボールの接触状態観察方法は、ゴルフボールを発射した後、衝突板に衝突させ、衝突時における前記ゴルフボールの前記衝突板との接触状態を観察する方法であって、前記衝突板の前記ゴルフボールが衝突する部分に、衝突したゴルフボールとの接触領域よりも小さな面積の観察孔を形成し、前記観察孔を介して前記ゴルフボールの前記衝突板との接触状態を観察することを特徴とする。
これによって、ゴルフボールとゴルフクラブとの接触現象を確実に観察できる。
【発明の効果】
【００１７】
本発明によれば、従来は隠れて観察できなかったゴルフボールとゴルフクラブとの接触状態を再現し、観察できる、ゴルフボールの接触状態観察装置及びゴルフボールの接触状態観察方法の提供が可能となる。
【図面の簡単な説明】
【００１８】
【図１】本発明のゴルフボールの接触状態観察装置の一実施形態について、模式的に示した側面図である。
【図２】本発明のゴルフボールの接触状態観察装置の一実施形態における衝突板を、模式的に示した正面図である。
【図３】本発明のゴルフボールの接触状態観察装置の一実施形態における衝突板の斜視図である。
【図４】本発明のゴルフボールの接触状態観察装置の別の実施形態について、模式的に示した上面図である。
【図５】本発明のゴルフボールの接触状態観察装置の別の実施形態について、模式的に示した側面図である。
【図６】（ａ）は、ゴルフボールと衝突板との接触状態について、正面から撮影した写真であり、（ｂ）は、ゴルフボールと衝突板との接触状態について、側方から撮影した写真である。
【図７】（ａ）は、ゴルフボールのすべり量（mm）の時間推移を示したものであり、図７（ｂ）にゴルフボールの回転角度（rad）の時間推移を示したものである。
【図８】本発明のゴルフボールの衝突板の別の実施形態について、模式的に示した正面図である。
【発明を実施するための形態】
【００１９】
以下、本発明について、その実施形態に基づき詳細に説明する。
（ゴルフボールの接触状態観察装置）
まず、本発明のゴルフボールの接触状態観察装置の一実施形態について説明する。
本発明のゴルフボールの接触状態観察装置は、図１に示すように、ゴルフボール１０を発射する発射手段（図示せず）と、発射された前記ゴルフボール１０が衝突する衝突板２０と、該衝突板２０を挟んで前記発射手段と反対側に設けられ、前記ゴルフボール１０の衝突時における前記ゴルフボール１０と前記衝突板２０との接触状態を撮影する撮像手段３０とを備える。
そして、本発明は、前記衝突板２０は、前記ゴルフボール１０が衝突する部分に、前記発射手段側の表面（以下、必要に応じて「衝突面」という。）２０ａにおける面積が、衝突したゴルフボールとの接触領域よりも小さな観察孔２１を有し、前記撮像手段３０は、前記観察孔２１を介して前記ゴルフボール１０の接触状態を撮影することを特徴とする。
【００２０】
前記観察孔２１を介して前記ゴルフボール１０と前記衝突板２０との接触状態を観察することによって、従来は隠れて観察できなかったゴルフボールとの接触現象を確実に観察できる。また、前記衝突板のゴルフボールとの衝突面については、要求に応じて、その性状（例えば、材質、溝の有無、表面粗さ等）を対象のゴルフクラブに応じて変更することで、実際のゴルフクラブとゴルフボールとの接触状態を高精度に再現することができる。
【００２１】
なお、本発明のゴルフボールの接触状態観察装置の中で用いられるゴルフボールは、接触状態を観察したいゴルフボールであれば特に限定はされず、種々のゴルフボールを用いることができる。
例えば、直径1.680インチ以上、重さ45.93g以下の規格を満足するゴルフボールを用いることもできるし、将来的に規格が変更されれば、その規格に合わせたゴルフボールを用い、その接触状態を観察できる。また、ゴルフボールの表面や内部の材質についても、本発明では特に限定されない。
【００２２】
・発射手段
本発明のゴルフボールの接触状態観察装置は、ゴルフボール１０を発射するための発射手段（図示せず）を備える。
前記発射手段については、要求された速度及び位置にゴルフボールを発射できるものであれば特に限定はされない。例えば、市販のゴルフボール発射装置を用いることが可能である。さらには、無回転で発射できるものが観察の観点では好ましい。
【００２３】
・衝突板
本発明のゴルフボールの接触状態観察装置は、図１に示すように、発射された前記ゴルフボール１０を衝突させるための衝突板２０を備える。
実際のゴルフでは、ゴルフクラブをゴルフボールに衝突させるが、本発明では、ゴルフクラブのスイングスピードやゴルフクラブヘッドのフェース面のロフト角やフェースアングルを考慮した上で、前記ゴルフボール１０を前記衝突板２０に衝突させることで、ゴルフクラブによってゴルフボールを打った瞬間における両者の接触状態を擬似的に再現することが可能である。
【００２４】
前記衝突板２０は、図２に示すように、前記ゴルフボール１０が衝突する部分に、前記発射手段側の表面２０ａ（衝突面２０ａ）における面積Ｓが衝突したゴルフボール１０との接触領域Ｂよりも小さな観察孔２１を有する。なお、前記接触面２０ａにおけるゴルフボール１０との接触領域Ｂについては、図２に示すように、前記ゴルフボール１０と前記観察孔２１の面積Ｓを含んだ形での接触領域Ｂのことであり、前記観察孔２１の面積Ｓを除いた接触領域のことではない。
前記観察孔２１を介して前記ゴルフボール１０との接触状態を撮影することで、隠れて観察できなかったゴルフボールとの接触現象を把握することが可能となる。また、前記観察孔２１の面積Ｓを、前記ゴルフボール１０との接触領域Ｂよりも小さくする理由としては、前記観察孔２１の面積Ｓが大きくなると、該観察孔２１のゴルフボール１０へ与える影響が大きくなるため、前記ゴルフボール１０のスピン量やスピン方向に変化が生じ、ゴルフボールとゴルフクラブの接触現象を正確に再現することができないためである。
【００２５】
また、前記観察孔２１の面積Ｓは、前記衝突板２０と前記ゴルフボール１０との接触領域Ｂに対して1〜40％であることが好ましく、8〜35％であることがより好ましい。前記観察孔２１の面積Ｓを前記接触領域Ｂに対して1〜40％の範囲にすることで、前記衝突板２０と前記ゴルフボール１０との接触状態を十分に観察できるとともに、前記観察孔２１のゴルフボール１０へ与える影響を低減し、ゴルフボールとゴルフクラブの接触現象を正確に再現できるからである。前記面積Ｓを前記接触領域Ｂに対して1％未満の場合には、観察孔２１の大きさが小さくなり、十分な接触状態の観察が行えないおそれがあり、一方、前記面積Ｓが前記接触領域Ｂに対して40％を超えると、前記観察孔２１のゴルフボール１０へ与える影響が大きくなり過ぎるおそれがある。
【００２６】
さらに、前記観察孔２１は、具体的には、1〜10mmの横幅Ｘを有することがより好ましく、1〜5mmの横幅Ｘとすることが特に好ましい。前記衝突板２０と前記ゴルフボール１０との接触状態を十分に観察できるとともに、前記観察孔２１のゴルフボール１０へ与える影響を大幅に低減してゴルフボールとゴルフクラブの接触現象をより正確に再現できるからである。
ここで、前記観察孔２１の幅Ｘとは、前記衝突板２０を載置した際、載置した面（地面や土台の面）と平衡に延在する幅Ｘのことをいい、縦幅Ｙは、前記衝突面２０ａにおいて横幅Ｘと直行する幅のことをいう。図２では、向かって正面が衝突面２０ａであり、下が載置面側を示したものであるため、左右方向に延びる幅が横幅Ｘとなり、上下方向に延びる幅が縦幅Ｙとなる。
さらにまた、前記観察孔２１の上下方向の縦幅Ｙについては、特に限定はされないが、前記観察孔２１のゴルフボール１０へ与える影響をより低減できる点からは、30mm以下とすることが好ましく、20mm以下とすることがより好ましい。
【００２７】
ここで、表１は、観察孔２１の横幅Ｘ及び縦幅Ｙのゴルフボール１０へ与える影響を調査したものである。観察孔２１を設けない場合の動摩擦係数の違いによるゴルフボールのスピン量（ω：１分あたりの回転数（rpm））の変化率（Δω）と比較して、観察孔の横幅Ｘ及び縦幅Ｙの大きさを変化させた場合のスピン量の変化率（Δω）がどの程度であるかを調査した。なお、前記スピン量の変化率（Δω）は、動摩擦係数（μ）が0.20の場合のスピン量（ωhigh_μ）と、動摩擦係数（μ）が0.15の場合のスピン量（ωlow_μ）を測定した後、以下の式に従って算出した。
Δω＝（ωlow_μ／ωhigh_μ−1）×100（％）
【００２８】
【表１】
2015205116.tif 000003
【００２９】
表１から、前記観察孔２１の横幅Ｘを大きくすることは、前記観察孔の縦幅Ｙを大きくした場合よりも、前記ゴルフボール１０に与える影響が大きく、前記観察孔２１の横幅Ｘを制御することが重要であることがわかる。これは、縦方向の摩擦力がゴルフボールのスピンに支配的な因子であり、横幅大きくなることで縦方向の面積が減少したためだと考えられる。
【００３０】
なお、前記観察孔２１の衝突面２０ａにおける形状は、図２に示すような四角形に限定はされず、図８（ａ）に示すような多角形（五角形、六角形等）や、図８（ｂ）に示すような楕円形の形状とすることも可能である。その場合の前記観察孔２１の横幅Ｘは、図８（ａ）及び（ｂ）に示すように、衝突板２０を載置した面（地面や土台の面）と平衡に延在する幅の中の最大値とする。
【００３１】
また、前記観察孔２１は、図１及び図３に示すように、前記衝突板２０における前記撮像手段側から前記発射手段側（衝突面２０ａ側）に向かってテーパー状となることが好ましい。すなわち、図３では、前記衝突板２０の前記撮像手段側から見た状態を示している。前記観察孔２１をテーパー状にすることで、前記ゴルフボール１０が衝突する前記発射手段側（衝突面２０ａ側）では観察孔２１の面積を小さくして該観察孔２１のゴルフボール１０へ与える影響をできるだけ低減し、前記撮像手段側では、観察孔の面積を大きくすることで、十分な量の光を取り込むことができ、より良好な条件での撮影を可能とするからである。
なお、前記観察孔２１のテーパー形状については、前記撮像手段側から前記発射手段側（衝突面２０ａ側）に向かって先細りとなる形状であれば特に限定はされず、図１に示すように、観察孔２１の断面積が前記発射手段側（衝突面２０ａ側）へ向かって一定間隔で縮小するテーパー状でも、不規則に縮小するテーパー状（図示せず）でも構わない。
【００３２】
さらに、前記観察孔２１には、透明な材料が充填されることが好ましい。前記観察孔２１のゴルフボール１０へ与える影響をより低減できるからであり、前記透明な材料が充填されていない場合には、衝突したゴルフボール１０が観察孔２１の内部へとせり出してきて、スピン量等に影響を与えるおそれがある。
【００３３】
また、前記充填材料を透明な材料としたのは、前記観察孔２１を介して前記ゴルフボールの接触状態を前記撮像手段３０が撮影するため、撮影に悪影響を与えないようにするためである。ここで、「透明な材料」とは、必ずしも完全な無色透明である必要はなく、前記撮像手段３０が、材料を介してゴルフボール１０の接触状態を撮影できる程度であれば、多少の着色や曇りがあっても構わない。
例えば、ゴルフボール１０の衝突に耐えうる強度を有し、透明である材料としては、アクリルガラス、ポリカーボネート、ABS等が挙げられる。
【００３４】
なお、前記衝突板２０を構成する材料は、特に限定はされず、例えば、ゴルフボールとの接触状態を観察したいゴルフクラブに応じて、種々の材料を用いることが可能であり、ゴルフボールとゴルフクラブとの接触現象をより高精度に再現できる点から、前記衝突板２０は、前記ゴルフボール１０と接触面２０ａが、対象のゴルフクラブに合わせて加工されることが好ましい。ここで、前記「加工」とは、対象とするゴルフクラブのフェースにあわせて前記衝突板２０の衝突面の性状を変化させることをいい、例えば、ゴルフクラブのフェースと同じ摩擦係数又は溝を持つような加工や、ゴルフクラブのフェースと同じ材料を衝突面２０ａに形成する等の加工、のみならず任意の縦溝、横溝、サンドブラストによる表面粗し加工が挙げられる。
【００３５】
・撮像手段
本発明のゴルフボールの接触状態観察装置は、前記衝突板２０を挟んで前記発射手段と反対側に設けられ、前記ゴルフボール１０の衝突時における前記ゴルフボール１０と前記衝突板２１との接触状態を、前記観察孔２１を介して撮影するための撮像手段３０を備える。
前記撮像手段３０については、前記ゴルフボール１０の衝突時における短時間の撮影に対応できるものであれば特に限定はされない。例えば、市販の高速カメラを用いることが可能である。
【００３６】
なお、前記観察板２０と前記撮像手段３０との距離は、特に限定はされず、観察孔２１の大きさ等に応じて適宜変更することができ、例えば、10〜1000mmの範囲とすることが可能である。
【００３７】
・その他
また、本発明によるゴルフボールの接触状態観察装置では、前記衝突板と前記ゴルフボールとの衝突時の力を測定するための２分力計（図示せず）をさらに備えることが好ましい。前記ゴルフボール１０と前記衝突板２０との接触状態に加えて、ゴルフボール１０の表面の法線方向及びその直交方向にかかる力についても測定が可能となり、衝突時のゴルフボール１０の状態をより高精度に把握できるからである。なお、前記２分力計の配設位置は、特に限定されず、例えば、装置の支持部に設けることができる。
【００３８】
また、前記ゴルフボール１０と前記衝突板２０との接触状態については、図４及び図５に示すように、正面に加えて、側方からも観察を行っても良い。
なお、前記衝突板２０の載置状態については、特に限定はされず、図１や、図４及び図５に示すように、対象となるゴルフクラブヘッドのフェース面のロフト角やフェースアングルに合わせた状態で載置することが可能である。
【００３９】
なお、前記ゴルフボール１０には、その位置を示すためのマーカーを付しても良い。これにより、ゴルフボールの、前記衝突板２０と衝突する前後の位置を特定することが可能となる。
【００４０】
（ゴルフボールの接触状態観察方法）
次に、本発明のゴルフボールの接触状態観察方法の位置実施形態について説明する。
本発明のゴルフボールの接触状態観察方法は、図１に示すように、ゴルフボール１０を発射した後、衝突板２０に衝突させ、衝突時における前記ゴルフボール１０の前記衝突板２０との接触状態を観察する方法であって、前記衝突板２０の前記ゴルフボール１０が衝突する部分に、衝突したゴルフボール１０との接触領域よりも小さな面積の観察孔２１を形成し、前記観察孔２１を介して前記ゴルフボール１０の接触状態を観察することを特徴とする。
【００４１】
前記観察孔２１を介して前記ゴルフボール１０と前記衝突板２０との接触状態を観察することによって、従来は隠れて観察できなかったゴルフボールとの接触現象を確実に観察できる。また、前記衝突板のゴルフボールと衝突する表面（接触面）については、要求に応じて性状を対象のゴルフクラブに合わせて変更することで、実際のゴルフクラブとゴルフボールとの接触状態を高精度に再現することができる。
【００４２】
なお、前記ゴルフボールを発射する方法や、前記ゴルフボールの接触状態を観察する方法については、特に限定はされず、例えば、市販のゴルフボール発射装置や高速カメラ等を用いることができる。また、前記衝突板２０の構成については、本発明のゴルフボールの接触状態観察装置で述べた内容と同様である。
【実施例】
【００４３】
以下、実施例を挙げて本発明をより詳細に説明するが、本発明はこれらに限定されるものではない。
【００４４】
図４及び図５に示すように、ゴルフボール１０を発射する発射手段（図示せず）と、発射された前記ゴルフボール１０が衝突する衝突板２０と、ゴルフボール１０と衝突板２０との接触状態を撮影する撮像手段３０とを備えるゴルフボールの接触状態観察装置を作製し、ゴルフボールの接触状態について観察を行った。
前記発射手段については、空気圧でボールを発射させる試験機（米国Automated Design Corporation製）を用い、前記衝突板２０への入射速度を43m／secとした。
前記撮像手段については、高速カメラ（（株）フォトロン製）を用いて、ゴルフボールの接触状態を観察した。さらに、前記衝突板２０との衝突前後のゴルフボール１０の状態（初速、スピン、打出し角度）については、計測装置（ブリヂストンスポーツ（株）製  サイエンスアイフィールド）を用いて計測を行い、動画解析装置（（株）フォトロン製  ＴＥＭＡ）を用いて解析を行い、ゴルフボールのマーカー軌跡を追跡した。
前記衝突板２０としては厚さ10mmのステンレス板を用い、観察孔２１は、縦幅20mm、横幅5mmの長方形とし、前記撮像手段側から前記発射手段側に向かってテーパー形状にした。また、前記衝突板２０は、鉛直方向に対して12°傾斜させた状態で載置した。
【００４５】
観察された前記ゴルフボール１０と前記衝突板２０との接触について、正面から見た状態及び側方から見た状態を、図６（ａ）及び（ｂ）に示す。
また、解析されたゴルフボールの挙動について、図７（ａ）にゴルフボールの滑り量（mm）の時間推移、図７（ｂ）にゴルフボールの回転角度（rad）の時間推移について示す。なお、図７では、サンドブラストにて表面を粗くした面を試験面１、表面に固形潤滑剤を塗布した路面を試験面２として示している。また、前記ゴルフボールの回転角度の時間推移とは、単位時間当たりに回転したゴルフボールの回転角度（rad）とし、時間経過に伴ってどのぐらいゴルフボールが回転したのかを積算して示したものである。
【００４６】
図６（ａ）の結果から、前記ゴルフボール１０と前記衝突板２０との接触面における接触状態を観察できることがわかった。また、図６（ｂ）に示すように、前記ゴルフボール１０と前記衝突板２０との接触状態を側方からも観察できた。
また、図７（ａ）からは、表面の摩擦係数を変えることで（試験面１、試験面２）、ゴルフボールが、試験面にとどまってしまう場合と、試験面の表面を滑る場合とがあることを観察できた。この動きの差が、図７（ｂ）に示すように、ゴルフボールのスピンに影響を及ぼしていることがわかった。その結果、ゴルフボールの挙動をより詳細に把握できることがわかった。
【産業上の利用可能性】
【００４７】
本発明によれば、従来は隠れて観察できなかったゴルフボールとゴルフクラブとの接触現象を観察できる、ゴルフボールの接触状態観察装置及びゴルフボールの接触状態観察方法を提供することが可能となる。
【符号の説明】
【００４８】
１０    ゴルフボール
２０    衝突板
２１    観察孔
３０    撮像手段
Ｓ      観察孔の面積
Ｂ      衝突板とゴルフボールとの接触領域
Ｘ      横幅
Ｙ      縦幅
【図１】
2015205116.tif 000004
【図２】
2015205116.tif 000005
【図３】
2015205116.tif 000006
【図４】
2015205116.tif 000007
【図５】
2015205116.tif 000008
【図７】
2015205116.tif 000009
【図８】
2015205116.tif 000010
【図６】
2015205116.tif 000011